(57)【要約】【課題】塵埃帯電効率が良く、また安定した放電特性を有する電気集塵装置を提供する。【解決手段】高圧放電電極（図示せず）と対向電極（図示せず）との間でコロナ放電を発生させて空気中の塵埃を帯電させるイオン化部と、帯電された塵埃を集塵する集塵部（図示せず）を有する集塵ユニット６ａ、６ｂを備え、風速の早い領域に高圧放電電極と対向電極との距離が小さな集塵ユニット６ｂを配置し、吸い込み風内の多量の塵埃に対して大きな放電電流を流し、風速の遅い領域には高圧放電電極と対向電極との距離が大きな集塵ユニット６ａを配置して、少量の塵埃に対して小さな放電電流を流して、風速に応じた放電電流を設定することができ、塵埃帯電効率を最大化し、安定した放電特性が得られる。【選択図】図１
2005152863.tif 000002
【特許請求の範囲】
【請求項１】
高圧放電電極と対向電極との間でコロナ放電を発生させて空気中の塵埃を帯電させるイオン化部と、帯電された塵埃を集塵する集塵部を有する集塵ユニットを備え、前記高圧放電電極と前記対向電極間の放電性能が異なる前記集塵ユニットを少なくとも２つ有することを特徴とする電気集塵装置。
【請求項２】
高圧放電電極と対向電極との距離を変えて、異なる放電性能を得るようにしたことを特徴とする請求項１記載の電気集塵装置。
【請求項３】
高圧放電電極の数を変えて、異なる放電性能を得るようにしたことを特徴とする請求項１記載の電気集塵装置。
【請求項４】
前記高圧放電電極と前記対向電極との間に印加される電圧を変えて、異なる放電性能を得るようにしたことを特徴とする請求項１記載の電気集塵装置。
【請求項５】
高圧放電電極の先端形状を変えて、異なる放電性能を得るようにしたことを特徴とする請求項１記載の電気集塵装置。
【請求項６】
対向電極の幅の大きさを変えて、異なる放電性能を得るようにしたことを特徴とする請求項１記載の電気集塵装置。
【請求項７】
高圧放電電極の板厚を変えて、異なる放電性能を得るようにしたことを特徴とする請求項１記載の電気集塵装置。
【発明の詳細な説明】
【技術分野】
【０００１】
本発明は、電気集塵装置に関し、特にコロナ放電を発生するイオン化部に関するものである。
【背景技術】
【０００２】
従来の電気集塵装置は、放電電極と対向電極との間でコロナ放電を生じさせるイオン化部と、そこで帯電された塵埃を集塵する集塵部から構成されている。図１３は、従来の電気集塵装置のイオン化部を示す斜視図である。
【０００３】
図において、１１は放電電極、８は対向電極である。放電電極１１は、複数の突起１１ａを長手方向に一定間隔で打ち抜き成形された金属板で形成されている。放電電極１１は、風の流れと直交するように配置され、複数設置された突起１１ａは対向電極８と向かい合うように配置されることで放電電極１１と対向電極８の間にコロナ放電を発生させ、通過する空気に含まれる塵埃に帯電させる構成となっている。
【０００４】
上述のような構成により、放電電極１１と対向電極８の距離が電気集塵装置全体で一定に保たれ、安定した放電が行われ、また放電電極１１の突起１１ａも電気集塵装置全体で適切な一定間隔に配置されることによって、放電電極１１と対向電極８間に発生するコロナ放電電流をムラなく広げ、ここを通過する空気中に含まれる塵埃に、効率的に帯電させることができ、集塵効率を向上させることができる（例えば、特許文献１参照）。
【特許文献１】特開平５−１８４９６９号公報
【発明の開示】
【発明が解決しようとする課題】
【０００５】
電気集塵装置における集塵効率を向上させるためには、コロナ放電によって発生した電流中に含まれる電子とそこを通過する空気中に含まれる塵埃の衝突量を増加させることが必要である。塵埃の衝突量を増加させるには、単位面積あたりに通過する電流を増加させるか、あるいは電気集塵装置の表面積を広げ、空気の通過量を増加させることが必要である。
【０００６】
しかし通過する空気中に含まれる塵埃に対して不必要に放電電流を流した場合、異常電流の発生による異音、発火の発生や人体に有害なオゾンの発生などの原因となり、放電を適切に抑制する必要がある。
【０００７】
しかしながら上記従来の構成においては、コロナ放電の電流値を増加させるためには、電気集塵装置の表面積を広げ、空気の通過量を増加させる必要があった。電気集塵装置の表面積を広げるには、放電電極１１上の突起１１ａの数が表面積に比例して増加するため、電気集塵装置トータルとしてのコロナ電流値の増加を招き、電気集塵装置の電源装置（図示せず）に過大な負担を発生させることにより、その結果電装部品の必要スペックの急騰によるコスト増大を招くという課題を有していた。
【０００８】
また、空気調和機の室内ユニットに搭載された電気集塵装置において、表面積を増加させると、室内ユニットの吸い込み口における風速分布の影響を受け、吸い込まれる空気に含まれる塵埃に対して放電電流がアンバランスになりやすく、異常電流の発生による異音、発火の発生や人体に有害なオゾンの発生などの原因となるという課題を有していた。
【０００９】
本発明は、前記従来の課題を解決するもので、一定電流下において塵埃帯電効率を最大
化し、また安定した放電特性を有する安全な電気集塵装置を提供することを目的とする。
【課題を解決するための手段】
【００１０】
上記従来の課題を解決するために、本発明の電気集塵装置は、高圧放電電極と対向電極との間でコロナ放電を発生させて空気中の塵埃を帯電させるイオン化部と、帯電された塵埃を集塵する集塵部を有する集塵ユニットを備え、前記高圧放電電極と前記対向電極間の放電性能が異なる前記集塵ユニットを少なくとも２つ有するもので、たとえば、風速の早い領域に放電性能の良い集塵ユニットを配置して、吸い込み風内の多量の塵埃に対して大きな放電電流を流すようにし、風速の遅い領域に従来の放電性能を有する集塵ユニットを配置して、吸い込み空気に含まれる少量の塵埃に対して小さな放電電流を流すようにすれば、空気調和機の室内ユニット等の吸い込み口における風速分布の差に応じた放電電流を設定することが可能となり、塵埃帯電効率を最大化し、また安定した放電特性を有する安全な電気集塵装置を得ることができ、また、不必要な放電電流の抑制による集塵効率の低下と異常放電による異音等の発生を抑制することができる。
【発明の効果】
【００１１】
本発明の電気集塵装置は、放電性能の異なる集塵ユニットを少なくとも２個領域内の風速に応じて配置することで、帯電性能の安定化と異音防止、運転消費電力の抑制及びコロナ放電電流値増加による直流電源コストの増大を抑制しつつ、高効率な集塵性能を発揮することができる。
【発明を実施するための最良の形態】
【００１２】
第１の発明は、高圧放電電極と対向電極との間でコロナ放電を発生させて空気中の塵埃を帯電させるイオン化部と、帯電された塵埃を集塵する集塵部を有する集塵ユニットを備え、前記高圧放電電極と前記対向電極間の放電性能が異なる前記集塵ユニットを少なくとも２つ有するもので、たとえば、風速の早い領域に放電性能の良い集塵ユニットを配置して、吸い込み風内の多量の塵埃に対して大きな放電電流を流すようにし、風速の遅い領域に従来の放電性能を有する集塵ユニットを配置して、吸い込み空気に含まれる少量の塵埃に対して小さな放電電流を流すようにすれば、空気調和機の室内ユニット等の吸い込み口における風速分布の差に応じた放電電流を設定することが可能となり、塵埃帯電効率を最大化し、また安定した放電特性を有する安全な電気集塵装置を得ることができ、また、不必要な放電電流の抑制による集塵効率の低下と異常放電による異音等の発生を抑制することができる。
【００１３】
第２の発明は、特に、第１の発明の高圧放電電極と対向電極との距離を変えて、異なる放電性能を得るようにしたもので、例えば、風速の早い領域に前記高圧放電電極と対向電極との距離が小さな集塵ユニットを配置して、多量の塵埃に対して大きな放電電流を流すようにし、風速の遅い領域に前記高圧放電電極と対向電極との距離が大きな集塵ユニットを配置して、少量の塵埃に対して小さな放電電流を流すようにすれば、空気調和機の室内ユニット等の吸い込み口における風速分布の差に応じた放電電流を設定することが可能となる。また、両集塵ユニットの高圧放電電極に引加する電圧は、同じ電圧で良いので、高圧電源となる直流電源装置を簡略化することができる。
【００１４】
第３の発明は、特に、第１の発明の高圧放電電極の数を変えて、異なる放電性能を得るようにしたもので、たとえば、風速の早い領域に前記高圧放電電極の電極数の多い集塵ユニットを配置して、吸い込み空気に含まれる多量の塵埃に対して大きな放電電流を流し、風速の遅い領域に高圧放電電極の電極数の少ないユニットを配置して、少量の塵埃に対して小さな放電電流を流すようにすれば、空気調和機の室内ユニット等の吸い込み口における風速分布の差に応じた放電電流を設定することが可能となる。また、両集塵ユニットの高圧放電電極に引加する電圧は、同じ電圧で良いので、高圧電源となる直流電源装置を簡
略化することができる。
【００１５】
第４の発明は、特に、第１の発明の前記高圧放電電極と前記対向電極との間に印加される電圧を変えて、異なる放電性能を得るようにしたもので、風速の早い領域に印加電圧の高い集塵ユニットを配置し、吸い込み空気に含まれる多量の塵埃に対して大きな放電電流を流し、一方吸い込み口における風速の遅い領域には印加電圧が低い集塵ユニットを配置し、吸い込み空気に含まれる少量の塵埃に対して小さな放電電流を流すようにすれば、空気調和機の室内機等の吸い込み口における風速分布の差に応じた放電電流を設定することが可能となる。印加電圧のみ異なるので、両集塵ユニットが共用化でき、部品管理が容易で、また製造コストの低減が可能となる。
【００１６】
第５の発明は、特に、第１の発明の高圧放電電極の先端形状を変えて、異なる放電性能を得るようにしたもので、例えば風速の早い領域に前記高圧放電電極の先端を鋭角に加工した集塵ユニットを配置して、吸い込み空気に含まれる多量の塵埃に対して大きな放電電流を流し、一方風速の遅い領域には前記高圧放電電極の先端を鈍角に加工した集塵ユニットを配置し、少量の塵埃に対して小さな放電電流を流すようにすれば、空気調和機の室内ユニット等の吸い込み口における風速分布の差に応じた放電電流を設定することが可能となる。また、両集塵ユニットの高圧放電電極に引加する電圧は、同じ電圧で良いので、高圧電源となる直流電源装置を簡略化することができる。
【００１７】
第６の発明は、特に、第１の発明の対向電極の幅の大きさを変えて、異なる放電性能を得るようにしたもので、例えば、風速の早い領域に前記対向電極の幅が広い集塵ユニットを配置して、吸い込み空気に含まれる多量の塵埃に対して大きな放電電流を流し、一方風速の遅い領域には対向電極の幅が狭い集塵ユニットを配置し、吸い込み空気に含まれる少量の塵埃に対して小さな放電電流を流すようにすれば、空気調和機の室内ユニット等の吸い込み口における風速分布の差に応じた放電電流を設定することが可能となる。また、両集塵ユニットの高圧放電電極に引加する電圧は、同じ電圧で良いので、高圧電源となる直流電源装置を簡略化することができる。
【００１８】
第７の発明は、特に、第１の発明の高圧放電電極の板厚を変えて、異なる放電性能を得るようにしたもので、風速の早い領域に前記高圧放電電極の板厚が薄い集塵ユニットを配置し、吸い込み空気に含まれる多量の塵埃に対して大きな放電電流を流し、一方風速の遅い領域には前記高圧放電電極の板厚が厚いユニットを配置し、吸い込み空気に含まれる少量の塵埃に対して小さな放電電流を流すようにすれば、空気調和機の室内ユニット等の吸い込み口における風速分布の差に応じた放電電流を設定することが可能となる。また、両集塵ユニットの高圧放電電極に引加する電圧は、同じ電圧で良いので、高圧電源となる直流電源装置を簡略化することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における電気集塵装置を搭載した空気調和機の室内機の概略断面図を示すもので、図２は同室内機の電気集塵機の集塵ユニットのイオン化部の構成を示す図、図３は、同室内機における風速分布を表す概略図である。
【００２１】
図において、室内機１は、前部に開閉自在に設けた前面パネル１ａと、クロスフローファン４と、前面パネル１ａが開成することにより形成される吸込み口２と、前面側熱交換器３ａと、室内機１の背面側に設けた背面側熱交換器３ｂと、吹き出し口５と、前面側熱交換器３ａの風上側に配されるとともに空気中の塵埃を集塵する電気集塵装置６を備えて
いる。電気集塵装置６は、第１集塵ユニット６ａと第２集塵ユニット６ｂから構成されている。
【００２２】
クロスフローファン４が回転すると、吸込み口２から室内空気が流入し、第１集塵ユニット６ａと、第２集塵ユニット６ｂで空気中の塵埃が捕集され、前面側、背面側熱交換器３ａ、３ｂで冷却又は暖められた後、吹き出し口５から室内に吹き出される。
【００２３】
第１集塵ユニット６ａは後述の放電電極１１と対向電極７との距離が大きく、前面パネル１ａと前面側熱交換器３ａの間に置かれ、第２集塵ユニット６ｂは、第１集塵ユニット６ａに較べ放電電極１１と対向電極７との距離が小さく、第１集塵ユニット６ａの上方でかつ前面パネル１ａと前面側熱交換器３ａの間に置かれている。
【００２４】
図１において、第１集塵ユニット６ａ、第２集塵ユニット６ｂは、吸込み口２のうち最も風量の大きな部分に設置されることが好ましく、省エネルギー化を追求しラムダ型熱交換器を搭載した空気調和機においては、一般的に前面側熱交換器３ａの前面側である風上側に前面側熱交換器３ａに沿った形で取り付けられることが好ましい。しかしながら近年の壁掛け型の室内機１では薄型化の要求傾向が強く、前面パネル１ａを前後に移動できる駆動方式にすることで室内機１の薄型化を実現することがある。
【００２５】
その場合、前面パネル１ａの駆動機構の構成上、前面パネル１ａの上下両端においては風速が速いが、前面パネル１ａと前面側熱交換器３ａの間に風速が低下する領域が存在するようになってしまう。
【００２６】
ここで、空気の清浄能力を増加させるため、電気集塵装置を拡張し、全面面積を増加させると、図３に示される様な前面パネル１ａの設置によって風速の低下した領域にも集塵ユニットを配置しなくてはならなくなるが、本実施の形態では、この風速の低下した前面パネル１ａの背後に放電電極１１と対向電極７との距離が大きな第１集塵ユニット６ａを配置している。
【００２７】
第１、第２集塵ユニット６ａ、６ｂのそれぞれは、コロナ放電で空気中に含まれる塵埃を帯電させるイオン化部と、帯電された塵埃を集塵する集塵部からなり、前記集塵部は集塵フィルター（図示せず）あるいは高圧電極と集塵電極からなるコレクタ部分（図示せず）等から構成されている。
【００２８】
次に、本実施の形態における第１、第２集塵ユニット６ａ、６ｂのイオン化部の詳細を図２を用いて説明する。
【００２９】
図２に示すように、第１、第２集塵ユニット６ａ、６ｂのイオン化部分は、一対の平行板７ａとそれに垂直に組み合わされた垂直板７ｂとからなる正方形状の対向電極７と、放電針が打ち抜き加工で製作された金属板からなる放電電極１１に一定間隔毎に配置されとともに、直流電源装置１０から、数ｋVの高圧電圧が供給される高圧放電電極９とからなり、高電圧が印加される放電電極１１と、接地された対向電極７の距離が近く、電気的にリークしてしまうため、放電電極１１の表面は絶縁物で形成されたスペーサ１２で覆われ、電気的に絶縁されている。
【００３０】
第１集塵ユニット６ａと第２集塵ユニット６ｂは、 放電電極１１と対向電極７との距離ｈのみ異なるもので、前者の放電電極１１と対向電極７との距離は、後者のそれより大きく設定している。
【００３１】
以上のように構成された電気集塵装置６について、以下その動作、作用を説明する。
【００３２】
電気集塵装置を搭載した空気調和機の室内機１において、空気清浄能力を増加させるため、電気集塵装置を拡張し、全面面積を増加させた場合、図３に示されるように、前面パネル１ａを搭載した室内機１の吸い込み口２では、背面背面側熱交換器３ｂの位置Ａから従来の電気集塵装置の設置位置Ｂ、拡張した電気集塵装置の設置位置Ｃ、前面パネルの下側の位置Ｄにかけて風速分布が異なる。
【００３３】
この原因は、前面パネル１ａの位置関係にあり、通過風速、つまり通過風量が位置によって異なる。その為単純に全面面積を増加させた場合、従来の位置Ｂよりも通過風量が小さな位置Ｃに配置される為、通過空気に含まれる塵埃に対して放電電流が過大となる。電気集塵装置のイオン化部において、その放電電流を決定する因子としては、放電電極と対向電極の距離、放電電極数、放電電極と対向電極にかける印可電圧、イオン化部の構成形状、放電電極の針先端形状が主な項目としてあげられる。本実施の形態では、上記項目のうち最も影響度の大きい放電電極１１と対向電極７の距離の異なる集塵ユニットを組み合わせたものである。
【００３４】
以上のように、本実施の形態によれば、拡張した位置Ｃには従来のものより、放電電流が小さく抑えられるように、放電電極１１と対向電極７との距離を従来のそれよりも大きく設定した第１の集塵ユニット６ａを配置する。なお、コロナ放電を発生させる為に必要な距離ｈは実験的におよそ７ｍｍ〜１５ｍｍ程度でよく、この範囲にあるように設定される。
【００３５】
上記の構成により、第１集塵ユニット６ａ、第２集塵ユニット６ｂに数ｋＶの同一電圧を印加しても、吸い込み空気に含まれる少量の塵埃に対して小さな放電電流を流すことで、第１、第２集塵ユニット６ａ、６ｂを通過する塵埃の量に応じた最適な放電電流を得ることが可能となり、不必要な放電電流の抑制による集塵効率の低下と異常放電による異音等の発生を抑制することが可能となる。さらに同一電圧を共用できる為、直流電源装置１０の電装部品を重複して用意する必要がない。
【００３６】
（実施の形態２）
図４は、本発明の第２の実施の形態における電気集塵装置を搭載した空気調和機の室内機１の概略断面図を示すもので、図５は同電気集塵装置のイオン化部の要部構成を示す斜視図である。なお、上記第１の実施の形態と同一部分については、同一符号、名称を付してその説明を省略する。
【００３７】
本実施の形態は、図４に示すように、電気集塵装置１３を、第３集塵ユニット１３ａと第４集塵ユニット１３ｂで構成し、前面パネル１ａと前面側熱交換器３ａとの間に、高圧放電電極９の電極数が少ない放電電極１１を有する第３集塵ユニット１３ａを配し、第３集塵ユニット１３ａの上部で前面熱交換器３ａの前には、高圧放電電極９の電極数が多い放電電極１１を備えた第４集塵ユニット１３ｂを配したものである。
【００３８】
図５（ａ）に高圧放電電極９の数が多い第４集塵ユニット１３ｂのイオン化部分の構成、（ｂ）に高圧放電電極９の数が少ない第３集塵ユニット１３ａのイオン化部分の構成を示している。
【００３９】
図４において、すでに実施の形態１において説明したとおり、空気清浄能力を増加させるため、電気集塵装置を拡張し、全面面積を増加させると、図３に示される様に前面パネル１ａの設置によって風速の低下した領域にも電気集塵装置を配置しなくてはならなくなるが、本実施の形態では、この風速の低下した前面パネル１ａの背後に高圧放電電極９の数が少ない第３集塵ユニット１３ａを配したものである。
【００４０】
上記のように、第３集塵ユニット１３ａと第４集塵ユニット１３ｂの相違点は、単位長さ当たりの高圧放電電極９の数のみである。
【００４１】
以上のように構成された電気集塵装置について、以下その動作、作用を説明する。
【００４２】
すでに実施の形態１において説明したとおり、単純に電気集塵装置を拡張し、全面面積を増加させた場合に発生する、通過空気に含まれる塵埃に対する過大な放電電流を抑制する必要がある。本実施の形態においては放電電流を決定する因子として放電電極の電極数の異なるユニットを組み合わせた構成を用いた。
【００４３】
本実施の形態によれば、拡張した部分には、従来のものより放電電流が小さく抑えられるように単位長さ当たりの高圧放電電極９の数を少なく設定した第３集塵ユニット１３ａを配置する。
【００４４】
放電電極数以外の要素因子である印加電圧、高圧放電電極９の先端形状、高圧放電電極９と対向電極７の距離が同一に設定されている場合、放電電流は、高圧放電電極９の数に比例して流れる。よって高圧放電電極９のみを従来の数よりも少なく設定した第３集塵ユニット１３ａには小さな放電電流値を設定することが可能となる。
【００４５】
上記の構成により、第４集塵ユニット１３ｂ、第３集塵ユニット１３ａに数ｋＶの同一電圧を印加しても、吸い込み空気に含まれる少量の塵埃に対して小さな放電電流を流すことが可能となり、第４集塵ユニット１３ｂ、第３集塵ユニット１３ａを通過する塵埃の量に応じた最適な放電電流を得ることができ、不必要な放電電流の抑制による集塵効率の低下と異常放電による異音等の発生を抑制することが可能となる。また同一電圧を共用可能な為、直流電源装置１０の電装部品を複数用意する必要がない。
【００４６】
（実施の形態３）
図６は、本発明の第３の実施の形態における電気集塵装置を搭載した空気調和機の室内機１の概略断面図を示すものである。なお、上記実施の形態と同一部分については、同一符号を付してその説明を省略する。
【００４７】
本実施の形態は、図６に示すように、電気集塵装置１４を、第５集塵ユニット１４ａと第６集塵ユニット１４ｂで構成し、前面パネル１ａと前面側熱交換器３ａとの間に、放電電極１１への印加電圧が低い第５集塵ユニット１４ａを配し、第５集塵ユニット１４ａの上部で前面熱交換器３ａの前には、放電電極１１への印加電圧が高い第６集塵ユニット１４ｂを配したものである。
【００４８】
図６において、すでに実施の形態１において説明したとおり、空気清浄能力を増加させるために電気集塵装置を拡張し全面面積を増加させると、図３に示される様に前面パネル１ａの設置によって風速の低下した領域にも集塵ユニットを配置しなくてはならなくなるが、本実施の形態では、この風速の低下した前面パネル１ａの背後に放電電極１１への印加電圧が従来のものより低い第５集塵ユニット１４（ａ）を配置したものである。
【００４９】
以上のように構成された電気集塵装置１４について、以下その動作、作用を説明する。
【００５０】
すでに実施の形態１において説明したとおり、単純に電気集塵装置を拡張し、全面面積を増加させた場合に発生する、通過空気に含まれる塵埃に対する過大な放電電流を抑制する必要がある。本実施の形態においては放電電流を決定する因子として放電電極と対向電極にかける印可電圧の異なる集塵ユニットを組み合わせた構成を用いた。
【００５１】
即ち本実施の形態３によれば、拡張した部分には、従来の集塵ユニットより放電電流が小さく抑えられるように、直流電源装置１０により放電電極１１と対向電極７にかけられる印可電圧Ｖのみを従来の集塵ユニットに加えられるＶbよりも低いＶaに設定した第５集塵ユニット１４ａを配置したものである。
【００５２】
放電電流は、高圧放電電極９の数、先端形状、放電極１１と対向電極７の距離が同一に設定されている場合、印加電圧にほぼ比例して流れる。よって印可電圧Ｖのみを従来の集塵ユニットでのＶbよりも小さくＶaに設定した第５集塵ユニット１４ａには小さな放電電流値を設定することが可能となる。
【００５３】
上記の構成により、第６、第５集塵ユニット１４ｂ、１４ａを用いて、吸い込み空気に含まれる少量の塵埃に対して小さな放電電流を流すことが可能となり、第６、第５集塵ユニット１４ｂ、１４ａを通過する塵埃の量に応じた最適な放電電流を得ることができ、不必要な放電電流の抑制による集塵効率の低下と異常放電による異音等の発生を抑制することが可能となる。また第５集塵ユニット１４ａと第６集塵ユニット１４ｂは、印加電圧のみ異なるだけなので、両集塵ユニットを共用化でき、部品管理が容易で、また製造コストの低下を図ることができる。
【００５４】
（実施の形態４）
図７は、本発明の第４の実施の形態における電気集塵装置を搭載した空気調和機の室内機の概略断面図を、図８は室内機に搭載された集塵ユニットの高圧放電電極の先端部の拡大図をそれぞれ示すものである。なお、上記実施の形態と同一部分については、同一符号を付してその説明を省略する。
【００５５】
本実施の形態は、電気集塵装置１５を、第７集塵ユニット１５ａと第８集塵ユニット１５ｂで構成し、前面パネル１ａと前面側熱交換器３ａとの間に、図８（ａ）に示すように先端部１６を鈍角に加工した高圧放電電極９を有する第７集塵ユニット１５ａを配し、第７集塵ユニット１５ａの上部で前面側熱交換器３ａの前には、図８（ｂ）に示すように先端部１６を鋭角に加工した高圧放電電極９を有する第８集塵ユニット１５ｂを配したものである。
【００５６】
すでに実施の形態１において説明したとおり、図７において空気清浄能力を増加させるために電気集塵装置を拡張し全面面積を増加させると、図３に示される様に前面パネル１ａの設置によって風速の低下した領域にも集塵ユニットを配置しなくてはならなくなるが、本実施の形態では、この風速の低下した前面パネル１ａの背後に高圧放電電極９の先端形状を鈍い角度に加工した第７集塵ユニット１５ａを配置したものである。
【００５７】
以上のように、第７集塵ユニット１５ａと第８集塵ユニット１５ｂの相違点は、高圧放電電極９の先端部１６の形状のみであり、図８（ａ）における高圧放電電極９の先端形状は図８（ｂ）における先端形状より鈍く加工され、先端の鋭さを表す尺度、針径と加工された先端長さＬを用いて表すと、図８において針径は同一であり、先端部１６の長さのみ変更され、図８（ａ）の第７集塵ユニット１５ａ用の高圧放電電極９の先端部１６の長さがＬａに対し、図８（ｂ）に示される第８集塵ユニット１５ｂの高圧放電電極９の先端部１６の長さは、Ｌａより長いＬｂとしている。
【００５８】
以上のように構成された電気集塵装置１５について、以下その動作、作用を説明する。
【００５９】
すでに実施の形態１において説明したとおり、単純に電気集塵装置を拡張し、全面面積を増加させた場合に発生する、通過空気に含まれる塵埃に対する過大な放電電流を抑制す
る必要がある。本実施の形態においては放電電流を決定する因子として放電電極の電極先端形状が異なるユニットを組み合わせた構成を用いた。
【００６０】
即ち、本実施の形態によれば、拡張した部分に、従来の集塵ユニットの位置に設けた第８集塵ユニット１５ｂに対し放電電流が小さく抑えられるように高圧放電電極９の先端部１６の長さＬを第８集塵ユニット１５ｂのＬbよりも短いＬaに設定した第７集塵ユニット１５ａを配置するものである。
【００６１】
放電電流は、放電電極数、印加電圧、放電極と対向電極の距離が同一に設定されている場合、高圧放電電極９の先端部１６の鋭利度によって変化する。よって先端部１６の長さＬのみを従来の集塵ユニットのＬbよりも短いＬaに設定した第７集塵ユニット１５ａには小さな放電電流値を設定することが可能となる。
【００６２】
上記の構成により、第７集塵ユニット１５ａ、第８集塵ユニット１５ｂに数ｋＶの同一電圧を印加しても、吸い込み空気に含まれる少量の塵埃に対して小さな放電電流を流すことが可能となり、第７集塵ユニット１５ａ、第８集塵ユニット１５ｂを通過する塵埃の量に応じた最適な放電電流を得ることができ、不必要な放電電流の抑制による集塵効率の低下と異常放電による異音等の発生を抑制することが可能することができる。また同一電圧を共用可能な為、電装部品を重複して用意する必要がない。
【００６３】
（実施の形態５）
図９は、本発明の第５の実施の形態における電気集塵装置を搭載した空気調和機の室内機１ａの概略断面図を示すもので、図１０は同電気集塵装置の集塵ユニットのイオン化部の要部構成を示す斜視図である。なお、上記実施の形態と同一部分については、同一符号を付してその説明を省略する。
【００６４】
本実施の形態は、図９に示すように、電気集塵装置１７を、第９集塵ユニット１７ａと第１０集塵ユニット１７ｂで構成し、前面パネル１ａと前面側熱交換器３ａとの間に、電極幅が狭い対向電極７を有する第９集塵ユニット１７ａを配し、第９集塵ユニット１７ａの上部で前面熱交換器３ａの前には、電極幅が大きい対向電極７を有する第１０集塵ユニット１７ｂを配したものである。
【００６５】
すでに実施の形態１において説明したとおり、図９において空気清浄能力を増加させるために電気集塵装置を拡張し全面面積を増加させると、図３に示されるように前面パネル１ａの設置によって風速の低下した領域にも集塵ユニットを配置しなくてはならなくなるが、本実施の形態では、この風速の低下した前面パネル１ａの背後に電極幅の狭い対向電極７を有する第９集塵ユニット１７ａを配置したものである。
【００６６】
図１０（ａ）は、電極幅寸法がＷａの対向電極７を備えた第９集塵ユニット１７ａのイオン化部分、図１０（ｂ）は、電極幅寸法がＷａより大きい従来幅Ｗｂの対向電極７を備えた第１０集塵ユニット１７ｂのイオン化部分のそれぞれを示している。
【００６７】
以上のように構成された電気集塵装置１７について、以下その動作、作用を説明する。
【００６８】
すでに実施の形態１において説明したとおり、単純に電気集塵装置を拡張し、全面面積を増加させた場合に発生する、通過空気に含まれる塵埃に対する過大な放電電流を抑制する必要がある。本実施の形態においては放電電流を決定する因子として対向電極の電極幅が異なるユニットを組み合わせた構成を用いた。
【００６９】
本実施の形態によれば、拡張した部分には、従来のものより放電電流が小さく抑えられ
るように対向電極７の電極幅寸法を従来のＷbよりも短くＷaに設定した第９集塵ユニット１７ａを配置する。
【００７０】
放電電流は、電極幅寸法以外の要素因子を同一に設定すると、電極幅の長さにほぼ比例して流れる。よって電極幅の長さを従来のｗbよりも短くｗaに設定した第９集塵ユニット１７ａには小さな放電電流値を設定することが可能となる。
【００７１】
上記の構成により、従来の集塵ユニットの部分に配置された第１０集塵ユニット１７ｂと、拡張された部分に設けられた第９集塵ユニット１７ａに数ｋＶの同一電圧を印加しても、吸い込み空気に含まれる少量の塵埃に対して小さな放電電流を流すことが可能となり、第９集塵ユニット１７ａ、第１０集塵ユニット１７ｂを通過する塵埃の量に応じた最適な放電電流を得ることができ、不必要な放電電流の抑制による集塵効率の低下と異常放電による異音等の発生を抑制することが可能することができる。また同一電圧を共用可能な為、直流電源装置１０の電装部品を重複して用意する必要がない。
【００７２】
（実施の形態６）
図１１は、本発明の第６の実施の形態における電気集塵装置を搭載した空気調和機の室内機１ａの概略断面図を示すもので、図１２は、同室内機に搭載された集塵ユニットのイオン化部分の構成を示す図である。なお、上記実施の形態と同一部分については、同一符号を付してその説明を省略する。
【００７３】
本実施の形態は、図に示すように、電気集塵装置１８を、第１１集塵ユニット１８ａと第１２集塵ユニット１８ｂで構成し、前面パネル１ａと前面側熱交換器３ａとの間に、板厚Ｔａの放電電極１１を有する第１１集塵ユニット１８ａを配し、第１１集塵ユニット１８ａの上部で前面熱交換器３ａの前には、板厚がＴａより小さいＴｂの薄い放電電極１１を有する第１２集塵ユニット１８ｂを配したものである。
【００７４】
すでに実施の形態１において説明したとおり、図１１において空気清浄能力を増加させるために電気集塵装置を拡張し全面面積を増加させると、図３に示されるように前面パネル１ａの設置によって風速の低下した領域にも集塵ユニットを配置しなくてはならなくなるが、本実施の形態では、この風速の低下した前面パネル１ａの背後に放電電極１１の電極板厚を厚くした第１１集塵ユニット１８ａを配置したものである。
【００７５】
以上のように構成された電気集塵装置について、以下その動作、作用を説明する。
【００７６】
すでに実施の形態１において説明したとおり、単純に電気集塵装置を拡張し、全面面積を増加させた場合に発生する、通過空気に含まれる塵埃に対する過大な放電電流を抑制する必要がある。本実施の形態においては放電電流を決定する因子として放電電極の電極板厚が異なる集塵ユニットを組み合わせたものである。
【００７７】
即ち、本実施の形態によれば、拡張した部分には、従来のものより放電電流が小さく抑えられるように放電電極１１の電極厚さを、従来のＴbよりも小さいＴaに設定した第１１集塵ユニット１８ａを配置する。放電電流は、電極厚さ以外の要素因子が同一に設定されている場合は、電極厚みにほぼ反比例して流れる。よって電極厚みを従来のＴbよりも大きいＴaに設定した第１１集塵ユニット１８ａには小さな放電電流値を設定することが可能となる。
【００７８】
上記の構成により、従来の集塵ユニットの部分に配置された第１２集塵ユニット１８ｂと、拡張された部分に設けられた第１１集塵ユニット１８ａに数ｋＶの同一電圧を印加しても、吸い込み空気に含まれる少量の塵埃に対して小さな放電電流を流すことが可能とな
り、第１２集塵ユニット１８ｂ、第１１集塵ユニット１８ａを通過する塵埃の量に応じた最適な放電電流を得ることができ、不必要な放電電流の抑制による集塵効率の低下と異常放電による異音等の発生を抑制することが可能となる。また同一電圧を共用可能な為、直流電源装置１０の電装部品を複数用意する必要がない。
【産業上の利用可能性】
【００７９】
以上のように、本発明に係る電気集塵装置は、帯電性能の安定化と異音防止、運転消費電力の抑制及びコロナ放電電流値増加による直流電源コストの増大を抑制しつつ、高効率な集塵性能を発揮できるので、各種空気調和機、空気清浄機器に適用できるものである。
【図面の簡単な説明】
【００８０】
【図１】本発明の実施の形態１における電気集塵装置を搭載した空気調和機の室内機の概略断面図
【図２】同電気集塵装置のイオン化部の要部構成を示す斜視図
【図３】同室内機における風速分布を表す概略図
【図４】本発明の実施の形態２における電気集塵装置を搭載した空気調和機の室内機の概略断面図
【図５】（ａ）同電気集塵装置の第４集塵ユニットのイオン化部の要部構成を示す斜視図、（ｂ）同電気集塵装置の第３集塵ユニットのイオン化部の要部構成を示す斜視図
【図６】本発明の実施の形態３における電気集塵装置を搭載した空気調和機の室内機の概略断面図
【図７】本発明の実施の形態４における電気集塵装置を搭載した空気調和機の室内機の概略断面図
【図８】（ａ）同電気集塵装置の第７集塵ユニットの高圧放電電極の先端部の拡大図、（ｂ）同電気集塵装置の第８集塵ユニットの高圧放電電極の先端部の拡大図
【図９】本発明の実施の形態５における電気集塵装置を搭載した空気調和機の室内機の概略断面図
【図１０】（ａ）同電気集塵装置の第９集塵ユニットのイオン化部の要部構成を示す斜視図、（ｂ）同電気集塵装置の第１０集塵ユニットのイオン化部の要部構成を示す斜視図
【図１１】本発明の実施の形態６における電気集塵装置を搭載した空気調和機の室内機の概略断面図
【図１２】（ａ）同電気集塵装置の第１１集塵ユニットのイオン化部の要部構成を示す斜視図、（ｂ）同電気集塵装置の第１２集塵ユニットのイオン化部の要部構成を示す斜視図、
【図１３】従来の電気集塵装置の斜視図
【符号の説明】
【００８１】
１    室内機
１ａ  前面パネル
２    吸込み口
３ａ  前面側熱交換器
３ｂ  背面側熱交換器
４    クロスフローファン
５    吹き出し口
６ａ  第１集塵ユニット
６ｂ  第２集塵ユニット
７    対向電極
９    高圧放電電極
１０    直流電源装置
１１    放電電極
１２    スペーサ
１３    電気集塵装置
１３ａ  第３集塵ユニット
１３ｂ  第４集塵ユニット
１４    電気集塵装置
１４ａ  第５集塵ユニット
１４ｂ  第６集塵ユニット
１５    電気集塵装置
１５ａ  第７集塵ユニット
１５ｂ  第８集塵ユニット
１６    先端部
１７    電気集塵装置
１７ａ  第９集塵ユニット
１７ｂ  第１０集塵ユニット
１８    電気集塵装置
１８ａ  第１１集塵ユニット
１８ｂ  第１２集塵ユニット
【図１】
2005152863.tif 000003
【図２】
2005152863.tif 000004
【図３】
2005152863.tif 000005
【図４】
2005152863.tif 000006
【図５】
2005152863.tif 000007
【図６】
2005152863.tif 000008
【図７】
2005152863.tif 000009
【図８】
2005152863.tif 000010
【図９】
2005152863.tif 000011
【図１０】
2005152863.tif 000012
【図１１】
2005152863.tif 000013
【図１２】
2005152863.tif 000014
【図１３】
2005152863.tif 000015